(57)【要約】      （修正有）【課題】液体が充填された軟包装袋を安定した状態で立てておくことができるとともに、ホルダーを把持して傾けた場合に、つかみやすく取り扱いを容易にした新規な軟包装袋用ホルダーを提供する。【解決手段】液体を充填した軟包装袋Ｂをホルダー本体１の内部に起立状態で収容する箱型状の軟包装袋用ホルダーＡであって、ホルダー本体１は、少なくとも板紙から構成されるとともにその上部に開閉可能な開口２が設けられ、開口２は、軟包装袋Ｂに充填された液体の注出口Ｂ１が前記液体を注出するためにホルダー本体１の外部に臨んでいる。【選択図】図２
0003166545.tif 000002
【実用新案登録請求の範囲】
【請求項１】
液体を充填した軟包装袋（Ｂ）をホルダー本体（１）の内部に起立状態で収容する箱型状の軟包装袋用ホルダー（Ａ）であって、
前記ホルダー本体（１）は、少なくとも板紙から構成されるとともにその上部に開閉可能な開口（２）が設けられ、
前記開口（２）は、開閉自在であって、かつ、前記軟包装袋（Ｂ）に充填された液体の注出口（Ｂ１）が前記液体を注出するために前記ホルダー本体の外部に臨むものであることを特徴とする軟包装袋用ホルダー。
【請求項２】
前記ホルダー本体（１）は、その開放により前記開口（２）を形成するとともにその閉鎖により前記開口（２）を閉鎖して収容された軟包装用袋（Ｂ）を覆うための蓋フラップ（１４）と、蓋フラップ（１４）が係脱自在に係合する係合凹部（１６）と係合切込み（１８）を備え、
前記蓋フラップ（１４）は、前記開口（２）の口縁の一部に折り線（５２）を介して連設されるとともに、前記係合凹部（１６）に係合する係合凸部（１５）と前記係合切込み（１８）に選択的に係合する先端部（１７）を備え、
前記係合凸部（１５）が前記係合凹部（１６）に係合されると前記開口（２）を閉じた状態が維持されるとともに、前記先端部（１７）が前記係合切込み（１８）に係合されると前記開口（２）を開いた状態が維持されるように形成したことを特徴とする請求項１記載の軟包装袋用ホルダー。
【請求項３】
前記ホルダー本体（１）は、手で把持したときに内部に収容した軟包装袋（Ｂ）を押圧できるようにその周壁部分に切り込みを入れて形成された押込みフラップ（２０、２１）を備え、
前記押込みフラップ（２０、２１）を内側に押し込むと、前記軟包装袋（Ｂ）が押圧されて、充填された液体が前記注出口（Ｂ１）から容易に注出されるようにしたことを特徴とする請求項１または２に記載の軟包装袋用ホルダー。
【請求項４】
前記ホルダー本体（１）は、一枚の板紙（Ｃ）の要所に切り込みを入れるともに折り曲げと貼り付けによる製函工程により形成されていることを特徴とする請求項１〜３のいずれか記載の軟包装袋用ホルダー。
【請求項５】
請求項１〜４のいずれか記載の軟包装袋用ホルダー（Ａ）に前記液体を充填した軟包装袋（Ｂ）を収容した自立可能な液体充填軟包装袋詰製品（Ｄ）。
【考案の詳細な説明】
【技術分野】
【０００１】
本考案は、液体等を充填した軟包装袋を収容する軟包装袋用ホルダーに関するものである。
【背景技術】
【０００２】
従来、化粧水、液体洗剤、シャンプー、調味料等の液体製品は、ガラスやプラスチック製のボトルに充填して販売されていた。近年、省資源や易廃棄性等の社会的要請から、これら液体製品をボトルに詰め替えるために樹脂フィルム等でできた詰め替え用軟包装袋に充填した軟包装袋詰製品が販売されている。このような軟包装袋詰製品の袋のコーナー部分には、充填された液体を容易にボトルに移し替えるための注出口やスパウト等を有するものが普及している（特許文献１、特許文献２）。
【０００３】
このような軟包装袋詰製品は、本来、その専用ボトルに詰め替えるために販売されているものであるが、取り扱いの簡便さを求めてボトルに詰め替えることなくそのまま使用される場合もある。このように使用された場合には、軟包装袋は、特に内容量が少なくなると自立しづらくなるので、自立させるための軟包装袋用ホルダーが提案されている（特許文献３）。
【先行技術文献】
【特許文献】
【０００４】
【特許文献１】特開平７−３００１４６号公報
【特許文献２】特開平８−２５３８号公報
【特許文献３】特開平６−１２２４５５号公報
【考案の概要】
【考案が解決しようとする課題】
【０００５】
しかしながら、このような軟包装袋用ホルダーは、ホルダーが筒状体で構成されているため、自立性は良好であるものの、ホルダーと軟包装袋の一体性に欠け、ホルダを把持して内容物を注ぐ際などの取り回しがしづらいという欠点があった。また、筒状体であることから、ホルダーと軟包装袋を一体として販売陳列する際や一体として荷送りする際に、ホルダー間及びホルダーと軟包装袋との間に隙間が生じるので、省スペースの観点からは改良が求められていた。さらに、ホルダーが筒状体であるため、製函工程により製造することができず、製造の自動化が困難であった。
加えて、軟包装袋の上部に注出口が常時露出するため、注出口が閉鎖されないものでは、必ずしも衛生的とはいえない場合があった。特に、化粧水などを充填した軟包装袋用ホルダーでは、片手でホルダーを把持して傾けることにより注出したいという要請があり、この場合に、つかみやすく取り扱いが容易なものが求められていた。
【０００６】
本考案は、このような従来の技術における課題に鑑みてなされたもので、その目的とするところは、液体等を充填された軟包装袋を安定して立てることができるホルダーであって、前記従来技術の不具合を解決し得る新規な軟包装袋用ホルダーを提供するものである。
【課題を解決するための手段】
【０００７】
上記課題を解決するために本考案は、液体を充填した軟包装袋をホルダー本体の内部に起立状態で収容する箱型状の軟包装袋用ホルダーであって、ホルダー本体は、少なくとも板紙から構成されるとともにその上部の一角部に開閉可能な開口が設けられ、この開口は、軟包装袋に充填された液体の注出口が前記液体を注出するために前記ホルダー本体の外部に臨むものであることを特徴とする。
このように箱型状であるため、自立することはもとより、ホルダーと軟包装袋とがまとまりよく一体とすることができるため、把持のためのハンドルは不要であり、省スペースであるとともに、ホルダーを手で把持することも容易であり、充填された液体などの内容物を注ぐ際に取り回しがしやすい。また、注出口が臨む開口が開閉可能であるため、閉じた場合はホルダー内に軟包装用袋を覆うことができるので衛生的であるとともに、使用前では、一体して荷送りする際に包装パッケージとしても使用することができる。
【０００８】
この場合、ホルダー本体は、その開放により開口を形成するとともにその閉鎖により開口を閉鎖して収容された軟包装用袋を覆うための蓋フラップと、蓋フラップが係脱自在に係合する係合凹部と係合切込みを備え、蓋フラップは、開口の口縁の一部に折り線を介して連設されるとともに、係合凹部に係合する係合凸部と係合切込みに選択的に係合する先端部を備え、係合凸部が係合凹部に係合されると開口を閉じた状態が維持されるとともに、先端部が係合切込みに係合されると開口を開いた状態が維持されるように形成することが好ましい。
このように注出口が臨む開口が開閉可能であるとともにその状態を保持できるため、使用の際は開いた状態を保持し、それ以外は閉じておくことができる。このため、開いた状態を保持するときは注出口が露出して使いやすく、閉じた状態を保持するときは注出口が覆われるため衛生的であるとともに、使用前では、一体して荷送りする際に包装パッケージとしても使用することができる。
【０００９】
また、ホルダー本体は、手で把持したときに内部に収容した軟包装袋を押圧できるようにその周壁部分に切り込みを入れて形成された押込みフラップを備え、押込みフラップを内側に押し込むと、軟包装袋が押圧されて充填された液体が注出口から容易に注出されるようにすることが好ましい。
このように、押込みフラップが備えられているため、手でホルダーを把持して傾けることにより注出する場合に、つかみやすく取り扱いが容易である。特に、片手で把持する場合は、傾けたり押圧したりする取り扱いが容易である。
【００１０】
加えて、ホルダー本体は、一枚の板紙の要所に切り込みを入れるともに折り曲げと貼り付けによる製函工程により形成されていることが好ましい。
このように、ホルダーを箱型状としたので一枚の板紙の要所に切り込みを入れるともに折り曲げと貼り付けによる製函工程によるため、製造の自動化が容易であるとともに、軟包装袋に充填された液体等を表示するための印刷が容易に施すことができ、美麗であるとともに、商品情報等の必要な情報を表現することができる。
【００１１】
前記記載の軟包装袋用ホルダーに液体を充填した軟包装袋を収容した自立可能な液体充填軟包装袋詰製品としてもよい。
この場合は、そもそもプラスチック製などのボトルを必要としなくなるため、省資源でありかつ廃棄も容易である。
【考案の効果】
【００１２】
本考案の軟包装袋用ホルダーは上記のような構成を備え、ホルダー本体が箱型状であるため、取り扱いが容易であるとともに陳列時や搬送時などに省スペース性を高めることができる。
なお、本考案の軟包装袋用ホルダーの軟包装袋に充填されるものは、液体に限らず、さらさらとした流動性の高いものであれば、液体同様に排出することができる。たとえば、粉状や顆粒状のものである。
【００１３】
また、蓋フラップにより開口を開閉自在に覆う場合は、使用時には蓋フラップを開いて注出口を外部に臨ませ液体等を注出することができ、不使用時蓋フラップを閉じて開口を閉鎖し軟包装袋を覆うことができるため、衛生的であるとともに、清潔感も有する。
さらに、押込みフラップを備える場合は、押し込むと軟包装袋を押圧することができ、充填された液体等を容易に注出することができる。なお、この場合は、軟包装袋に充填されるものは、より粘性の高いものであっても、良好に注出することができる。
【００１４】
ホルダーは一枚の板紙により形成される場合は、自動製函機による製造および商品情報の印刷などが容易になる。
加えて、自立可能な液体充填軟包装袋詰製品では、ボトルを必要としなくなるため、省資源でありかつ廃棄も容易である。
【図面の簡単な説明】
【００１５】
【図１】本考案に係る軟包装袋用ホルダーの一例の斜視図であって、蓋フラップが閉じた状態を示すものである。
【図２】図１に示す例の斜視図であって、蓋フラップが開いた状態を示すものである。
【図３】図１に示す例の分解した状態の平面図を示すものである。
【考案を実施するための形態】
【００１６】
以下、図面を参照しながら、本考案に係る軟包装袋用ホルダーの実施形態の一例を説明する。
【００１７】
図１は本考案の実施形態の一例としての軟包装袋用ホルダーを示す斜視図である。蓋フラップ１４により後述の開口２を閉じた状態を示している。図１に示すように、軟包装袋用ホルダーＡは板紙からなる直方体の箱型状のホルダー本体１と、このホルダー本体１に設けた開口２とからなる。
ホルダー本体１は、可撓性を有する一枚の薄い板紙（後述する板紙Ｃ）を用いて直方体の箱型状に組み立てられ、開口２は箱型状のホルダー本体の上部の互いに隣り合う角部を斜めに切り落とされて構成されている。図１では、開口２は後述するように蓋フラップ１４で覆われている。
【００１８】
図２は、このホルダー本体１に軟包装用袋Ｂを収容して使用されている状態を表している。蓋フラップ１４は開いた状態であり、これにより、開口２が生じている。液体を充填した軟包装袋Ｂが起立状態で収容され、軟包装用袋Ｂの注出口Ｂ１が開口２からホルダー１４の外部に臨んでいる。軟包装袋Ｂは、合成樹脂性フィルムなどの軟包材が用いられ袋状にシールされて袋内部に化粧水、石けん、洗剤等の液体やジェル状の流動体、場合により粒体や紛体が充填されるものである。
【００１９】
図２に示すように、本例は、このようなシールされた袋の上部の左右いずれかの角部に注出口Ｂ１を備えた軟包装袋Ｂを対象としている。このため、ホルダー本体１の上部には、軟包装袋Ｂの注出口Ｂ１をホルダー本体１の外部に臨ませるための開口２を形成するような蓋フラップ１４が形成されている。注出口Ｂ１は、コーナー部が斜めに切り落とされたものであってもよいし、そこに中空円筒状の注出管路があるものでもよい。また、本例では注出口を開閉自在に塞ぐキャップは示されていないが、このようなキャップがあるものでもよく、その場合は、キャップはねじ込みで着脱するものであってもよい。袋の注出口Ｂ１がホルダー本体１の外部に臨んで、ホルダー本体１を傾けることにより、注出口Ｂ１から充填されている液体がホルダー本体１の外部に注がれるものであればよい。
【００２０】
ホルダー本体１は、図３に示す一枚の板紙Ｃから組み立てられるもので、所要の大きさに打ち抜かれ、必要な切込み１２、１８、１９、２０が入れられているとともに、折り曲げと貼り付けにより組み立てられている。これらの切込みは必要により容易に切込みとできるようにミシン目構造となっていてもよい。また、何か所かで接続されているものであってもよい。このようにすると、ホルダーＡの使用前は密閉性を高めることができるからである。さらに、用途により、板紙Ｃはコーティングされたり、ラミネートされたりしてもよい。
板紙Ｃは、ボール紙等の板紙を用いているが、薄手の段ボール紙でも差し支えない。
この板紙Ｃは、正面板３と、正面板３の左右側縁に折り線４１、４２を介して連設された側面板４、５と、一方の側面板４の側縁に折り線４３を介して連設された背面板６と、背面板６の側縁に折り線４４を介して連設された貼付けフラップ７を備えている。これら正面板３、側面板４、５、背面板６および貼付けフラップ７を、折り線４１〜４４に沿って折り曲げるとともに、貼付けフラップ７を側面板５に貼り付けることにより、ホルダー本体１の周壁部分を形成するようになっている。
【００２１】
正面板３、側面板４、５および背面板６の下縁には折り線４５〜４８を介して底面形成フラップ８ａ〜８ｄが連設され、それぞれの底面形成フラップ８ａ〜８ｄは互いに係脱自在となる係合部９ａ〜９ｄを備えている。それぞれの底面形成フラップ８ａ〜８ｄを折り線４５〜４８に沿って折り曲げるとともに、それぞれの係合部９ａ〜９ｄを係合させるように組み立てることで、ホルダー本体１の開閉可能な底面部分を形成するようになっている。
【００２２】
側面板４、５の上縁には折り線４９，５０を介して上面形成フラップ１０ａ、１０ｂが連設され、上面形成フラップ１０ａの上縁には折り線５１を介して差込みフラップ１１がさらに連設され、上面形成フラップ１０ｂの下縁中央には切込み１２が形成されている。ホルダー本体１の上面部分は、上面形成フラップ１０ａ、１０ｂを折り線５０，５１に沿って折り曲げ重ねるとともに、差込みフラップ１１を切込み１２に差し込んで、開閉自在になるように形成されている。
【００２３】
側面板４、５は、正面板３と隣接する側の縁（折り線４１、４２となる縁）の上縁部分に折り線４９、５０に向かって斜めにカットされた斜辺部１３ａ、１３ｂを有している。ホルダー本体１の開口２は、斜辺部１３ａ、１３ｂと、上面形成フラップ１０ａ、１０ｂの側縁１３ｃ、１３ｄとにより形成される。
【００２４】
蓋フラップ１４は、正面板３の上部に形成され、側面板３、４の斜辺部１３ａ、１３ｂで挟まれる部分まで延長されて開口２を開閉可能に塞ぐことができるようになっている。
蓋フラップ１４の左右縁には蓋フラップ係合部１５となる係合凸部１５ａ、１５ｂが形成され、斜辺部分１３ａ、１３ｂには側面板係合部１６となる係合凹部１６ａ、１６ｂが形成されている。係合凸部１５ａ、１５ｂと係合凹部１６ａ、１６ｂがそれぞれ係合することにより、蓋フラップ１４で開口２を閉じた状態を維持するようになっている。
【００２５】
正面板３の中央部分には、蓋フラップ１４の先端係合部１７が差し込まれて係合する係合切込み１８となる切り込みが形成されている。この先端係合部１７を係合切込み１８に差し込んで係合させることで、開口２を開いた状態を維持するとともに、軟包装袋に充填された液体を注ぐ際に蓋フラップ１４が障害物にならないようになっている。
【００２６】
側面板４、５は、コ字状又はＣ字状の押込みフラップ２１、２２を形成する切込み１９、２０を有している。押込みフラップ２１、２２の基端部分は蓋フラップ１４の反対側（すなわち、正面部３側でなく背面部側）に位置し、ホルダー本体１を片手で把持した際にホルダー本体１内部に向かって押し込むのに好適な位置に形成されている。把持した手で押込みフラップ２１、２２を押圧すると、ホルダー本体１内に収容された軟包装袋Ｂも押圧され、充填された内部の液体を簡単に注出することができる。たとえば、化粧水等が充填されている場合は、把持している手で押込みフラップを押圧すると、簡単にもう一方の手に化粧水を取ることができる。
【００２７】
この板紙Ｃは、前述のように、貼付けフラップ７を側面板５の側縁に貼り付けて角筒状に形状を形成した後、それぞれの折り線に沿って各面板および各フラップを所定方向へ折り曲げて組み合わせることで、直方体の箱型状である前述のホルダー本体１が組み立てられる。また、一枚の板紙Ｃから組み立てることができるため、組み立て前は特にその表面に印刷することも容易であり、あらかじめ軟包装袋Ｂ内に充填された液体の商品情報など印刷しておくと良い。
【００２８】
ホルダー本体１に軟包装袋Ｂを収容する際には、上面部分から収容する。すなわち、常法によって底面形成フラップ８ａ〜８ｄを組み合わせて底面部分を形成後、開放された状態の上面部から、ホルダー本体１内に軟包装袋Ｂを挿入することができる。その後、上面形成フラップ１０ａ、１０ｂを折り線４９，５０に沿って閉じるとともに、差込みフラップ１１を切込み１２に差し込むと、上面部分を閉じることができる。
【００２９】
挿入された軟包装袋Ｂは、ホルダー本体１で支持されるので、充填された液体が少なくなっても起立状態が維持される。また、不使用時などに蓋フラップ１４を閉鎖すると、軟包装袋Ｂはホルダー本体１に覆われて収納されるので、衛生的である。
【００３０】
軟包装袋Ｂに充填された液体を注出する際には、蓋フラップ１４を開いて開口２から注出口Ｂ１を露出させた後、片手でホルダー本体１を把持してホルダー本体１を傾けて液体をその注出口Ｂ１から注ぎ出すことができ、取り扱いが容易である。
この際、ホルダー本体１を傾けても軟包装袋Ｂは、ホルダー本体１に収納されているのでホルダー本体１の外部に飛び出ることは防止される。必要に応じ、蓋フラップ１４を、切込み１８に差し込めば注出の障害になることない。また、液体が少なくなった場合や粘性のより高い流動体であるような場合は、把持している手で押込みフラップ２１を押圧することにより、軟包装袋Ｂを押圧することができ、より内容物を容易に注出ないし押し出すことができるので便利である。
【００３１】
軟包装袋用ホルダーＡは、繰り返して使用することもできる。例えば、液体が充填された軟包装袋Ｂと軟包装袋用ホルダーＡを当初に一括購入し、使い切った後、軟包装用袋Ｂに充填された液体のみを次回以降購入すればよい。このようにすると、プラスチックなどでできたボトルそのものが不要となるので、紙でできている軟包装袋用ホルダーＡは、繰り返して使用することができ、省資源化が図れるとともに、廃棄も容易である。
【００３２】
以上のように、本考案の実施形態の一例を図面に基づき説明した。本考案は図示例に限定されるものではなく、実用新案登録請求の範囲に記載された技術的思想の範疇において、種々の変更が可能であることは言うまでもない。
【符号の説明】
【００３３】
Ａ：軟包装袋用ホルダー
１：ホルダー本体
２：開口
３：正面板
４、５：側面板
１０ａ、１０ｂ：上面形成フラップ
１４：蓋フラップ
１５：蓋フラップ係合部
１５ａ、１５ｂ：係合凸部
１６：側面板係合部
１６ａ、１６ｂ：係合凹部
１７：先端部
１８：係合切込み
２０、２１：押込みフラップ
Ｂ：軟包装袋
Ｂ１：注出口
Ｃ：板紙
Ｄ：液体容器
【図１】
0003166545.tif 000003
【図２】
0003166545.tif 000004
【図３】
0003166545.tif 000005